(57)【特許請求の範囲】
【請求項１】
合成対象となる対象画像と、前記対象画像とは異なる画像の合成が許容される前記対象画像中の領域を特定するための画像であって、前記対象画像よりも画素数が少なく、かつ、非可逆圧縮された枠画像と、が記憶された記憶部と、
前記枠画像を伸張する伸張部と、
前記伸張部により伸張された枠画像を拡大して前記対象画像と同じ画素数にする拡大部と、
を備え、
前記枠画像は、前記領域の内側を第１の画素値で表現し、前記領域の外側を第２の画素値で表現した画像である
画像処理装置。
【請求項２】
前記対象画像とは異なる第１及び第２の画像のうち、前記第１の画像は、前記拡大部により拡大された前記枠画像の中で前記合成が許容される領域に収まるように調整され、前記対象画像及び前記枠画像に基づいて生成される前記第２の画像は、調整後の前記第１の画像と合成される、
請求項１に記載の画像処理装置。
【請求項３】
前記記憶部は、前記複数の枠画像を記憶し、
前記第２の画像は、前記対象画像と、前記複数の枠画像から選択された枠画像を拡大した画像とに基づいて生成される、
請求項２に記載の画像処理装置。
【請求項４】
前記拡大部は、表示用の画素数に応じて前記第１の画像及び／又は前記第２の画像の画素数を増加又は減少させる、
請求項２に記載の画像処理装置。
【請求項５】
前記拡大部は、前記対象画像の画素数を増加させて拡大し、
前記第２の画像は、拡大された前記対象画像及び拡大された前記枠画像から生成される、
請求項２に記載の画像処理装置。
【請求項６】
前記記憶部は、編集用画像を記憶し、
前記編集用画像は、前記第１の画像、前記第２の画像に合成される、
請求項２に記載の画像処理装置。
【請求項７】
前記対象画像、拡大された前記枠画像及び前記対象画像とは異なる第１の画像から合成画像を生成する合成画像生成部を更に備え、
前記記憶部は、前記第１の画像及び前記合成画像を記憶する、
請求項１に記載の画像処理装置。
【請求項８】
前記記憶部は、前記複数の枠画像を記憶し、
前記合成画像生成部は、前記対象画像と、前記複数の枠画像から選択された枠画像を拡大した画像と、前記第１の画像とから前記合成画像を生成する、
請求項７に記載の画像処理装置。
【請求項９】
前記記憶部は、複数の前記第１の画像を記憶し、
前記対象画像と異なる第２の画像は、前記対象画像及び拡大された前記枠画像から生成され、
前記合成画像は、前記各第１の画像と前記第２の画像とを合成することにより生成され、
前記記憶部は、複数の前記合成画像を記憶する、
請求項７に記載の画像処理装置。
【請求項１０】
前記拡大部は、前記対象画像の画素数を増加させて、拡大された対象画像に変換し、
前記合成画像は、前記拡大された対象画像、拡大された前記枠画像、及び前記第１の画像から生成される、
請求項７に記載の画像処理装置。
【請求項１１】
前記記憶部は、編集用画像を記憶し、
前記編集用画像は、前記対象画像、拡大された前記枠画像、前記第１の画像に合成される、
請求項７に記載の画像処理装置。
【請求項１２】
合成対象となる対象画像とは異なる画像の合成が許容される前記対象画像中の領域を特定するための画像であって、前記対象画像よりも画素数が少なく、かつ、非可逆圧縮された枠画像を伸張することと、
伸張された前記枠画像を拡大して前記対象画像と同じ画素数にすることと、
を含み、
前記枠画像は、前記領域の内側を第１の画素値で表現し、前記領域の外側を第２の画素値で表現した画像である
画像処理方法。
【請求項１３】
コンピュータに、
合成対象となる対象画像と、前記対象画像とは異なる画像の合成が許容される前記対象画像中の領域を特定するための画像であって、前記対象画像よりも画素数が少なく、かつ、非可逆圧縮された枠画像と、を記憶する記憶機能と、
前記枠画像を伸張する伸張機能と、
伸張された前記枠画像を拡大して前記対象画像と同じ画素数にする拡大機能と、
を、実現させるプログラムであり、
前記枠画像は、前記領域の内側を第１の画素値で表現し、前記領域の外側を第２の画素値で表現した画像である
プログラム。
【発明の詳細な説明】
【技術分野】
【０００１】
本発明は、画像処理装置、画像処理方法、およびプログラムに関する。
【背景技術】
【０００２】
撮影画像などの合成対象画像に合成用画像を合成して合成画像を生成する画像処理方法が知られている。合成用画像は、画像（色）成分および透過率成分からなる画像としてメモリなどに記憶されている。ここで、画像成分は、合成対象画像を装飾するための背景画像、フレーム画像などを表し、透過率成分は、合成対象画像に重畳される合成用画像の透過率を表している。合成画像において、合成用画像のうち透過率の高い画素では、合成対象画像の対応する画素が優先して表示され、透過率の低い画素では、合成用画像の画像成分が優先して表示される。
【０００３】
下記特許文献１には、合成用画像のフォーマットとして、３チャンネルの画像成分を圧縮形式で記録する画像領域と、１チャンネルの透過率成分および２チャンネルの擬似成分を画像成分と同一の圧縮形式およびデータ構造で記録する透過率領域を有する画像フォーマットが記載されている。
【０００４】
【特許文献１】特開２００４−２２２１８６号公報
【発明の開示】
【発明が解決しようとする課題】
【０００５】
しかし、特許文献１に記載の画像フォーマットでは、合成用画像は、画像成分、および画像成分と同一の画素数からなる透過率成分として圧縮形式で記録されている。このため、透過率成分を含む合成用画像の圧縮効率を向上できないという問題がある。特に、合成画像として印刷用画像を生成する場合など、多くの画素数からなる合成用画像を用いる場合には、合成用画像を記録または記憶するために多くの容量が必要となるという問題がある。
【０００６】
本発明は上記問題点に鑑みてなされたものであり、その目的は、透過率成分を含む合成用画像を効率的に処理可能な、新規かつ改良された、画像処理装置、画像処理方法、およびプログラムを提供することにある。
【課題を解決するための手段】
【０００７】
上記課題を解決するために、本発明の第１の観点によれば、画像成分および透過率成分から構成される合成用画像を合成対象画像に合成するための画像処理装置が提供される。画像処理装置は、画像成分を記憶する画像成分記憶部と、画像成分より少ない画素数からなる非可逆圧縮された透過率成分を記憶する透過率成分記憶部と、非可逆圧縮された透過率成分を伸張する伸張処理部と、伸張された透過率成分の画素数を増加させて、拡大された透過率成分に変換する画素数変換部と、を備える。
【０００８】
かかる構成によれば、画像成分より少ない画素数からなる非可逆圧縮された透過率成分が伸張されて拡大される。そして、拡大された画像成分および透過率成分から構成される合成用画像が合成対象画像に合成される。一般に、高い圧縮率で非可逆圧縮された画像を伸張した場合には、画像の高周波成分でノイズが生じるので、透過率が急変する部分の画像を適切に再現することができない。このため、透過率成分の画素数を少なくしても、再現される急変部分の画像に対しては顕著な影響が及ばず、画素数を少なくしたことによるスケールメリットだけが残ることになる。よって、非可逆圧縮された透過率成分を記憶するための記憶容量を大幅に低減することができる。
【０００９】
また、上記画像処理装置は、合成対象画像を記憶する合成対象画像記憶部と、画像成分および拡大された透過率成分から合成用画像を生成する合成用画像生成部と、合成対象画像および合成用画像から表示用画像を生成する表示用画像生成部と、表示用画像を表示する画像表示部と、をさらに備えてもよい。これにより、拡大された透過率成分を含む合成用画像および合成対象画像から表示用画像を効率的に生成して表示することができる。
【００１０】
また、上記透過率成分記憶部は、複数の透過率成分を記憶し、合成用画像生成部は、画像成分、および複数の透過率成分から選択される透過率成分であって拡大変換された透過率成分から合成用画像を生成してもよい。これにより、透過率成分の選択に応じて、選択されて拡大変換された透過率成分を含む合成用画像、および合成対象画像から表示用画像を効率的に生成して表示することができる。
【００１１】
また、上記画素数変換部は、表示用の画素数に応じて合成用画像および／または合成対象画像の画素数を増加または減少させて、拡大または縮小された合成用画像および／または合成対象画像に変換し、表示用画像生成部は、拡大または縮小された合成用画像および／または合成対象画像から表示用画像を生成し、画像表示部は、表示用画像を表示してもよい。これにより、拡大された透過率成分を含む合成用画像および合成対象画像から、表示用の画素数に応じて拡大または縮小された表示用画像を効率的に生成して表示することができる。
【００１２】
また、上記画素数変換部は、画像成分の画素数を増加させて、拡大された画像成分に変換し、合成用画像生成部は、拡大された画像成分および拡大された透過率成分から合成用画像を生成してもよい。これにより、拡大された透過率成分および拡大された画像成分を含む合成用画像、および合成対象画像から表示用画像を効率的に生成して表示することができる。
【００１３】
また、上記画像処理装置は、編集用画像を記憶する編集用画像記憶部をさらに備え、表示用画像生成部は、合成対象画像、合成用画像、および編集用画像から表示用画像を生成してもよい。これにより、拡大された透過率成分を含む合成用画像、合成対象画像、および編集用画像から表示用画像を効率的に生成して表示することができる。
【００１４】
また、上記画像処理装置は、合成対象画像を記憶する合成対象画像記憶部と、画像成分、拡大された透過率成分、および合成対象画像から合成画像を生成する合成画像生成部と、合成画像を記憶する合成画像記憶部と、をさらに備えてもよい。これにより、拡大された透過率成分を含む合成用画像および合成対象画像から合成画像を効率的に生成して記憶することができる。
【００１５】
また、上記透過率成分記憶部は、複数の透過率成分を記憶し、合成画像生成部は、画像成分、複数の透過率成分から選択される透過率成分であって拡大変換された透過率成分、および合成対象画像から合成画像を生成してもよい。透過率成分の選択に応じて、選択されて拡大変換された透過率成分を含む合成用画像、および合成対象画像から合成画像を効率的に生成して記憶することができる。
【００１６】
また、上記合成対象画像記憶部は、複数の合成対象画像を記憶し、合成用画像生成部は、画像成分および拡大された透過率成分から合成用画像を生成し、合成画像生成部は、各合成対象画像に合成用画像を合成した複数の合成画像を生成し、合成画像記憶部は、複数の合成画像を記憶してもよい。これにより、拡大された透過率成分を含む合成用画像および複数の合成対象画像から、同一の合成用画像を合成された複数の合成画像を効率的に生成して記憶することができる。
【００１７】
また、上記画素数変換部は、画像成分の画素数を増加させて、拡大された画像成分に変換し、合成画像生成部は、拡大された画像成分、拡大された透過率成分、および合成対象画像から合成画像を生成してもよい。これにより、拡大された透過率成分および拡大された画像成分を含む合成用画像、および合成対象画像から合成画像を効率的に生成して記憶することができる。
【００１８】
また、上記画像処理装置は、編集用画像を記憶する編集用画像記憶部をさらに備え、合成画像生成部は、画像成分、拡大された透過率成分、合成対象画像、および編集用画像から合成画像を生成してもよい。これにより、拡大された透過率成分を含む合成用画像、合成対象画像、および編集用画像から合成画像を効率的に生成して記憶することができる。
【００１９】
上記課題を解決するために、本発明の第２の観点によれば、画像成分および透過率成分から構成される合成用画像を合成対象画像に合成するための画像処理方法が提供される。画像処理方法は、画像成分より少ない画素数からなる非可逆圧縮された透過率成分を伸張する伸張処理ステップと、伸張された透過率成分の画素数を増加させて、拡大された透過率成分に変換する画素数変換ステップと、を含む。これにより、非可逆圧縮された透過率成分を記憶するための記憶容量を大幅に低減することができる。
【００２０】
上記課題を解決するために、本発明の第３の観点によれば、本発明の第２の観点に係る画像処理方法をコンピュータに実行させるプログラムが提供される。
【発明の効果】
【００２１】
本発明によれば、透過率成分を含む合成用画像を効率的に処理可能な、画像処理装置、画像処理方法、およびプログラムを提供することができる。
【発明を実施するための最良の形態】
【００２２】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００２３】
（画像処理装置の構成）
図１は、本発明の一実施形態に係る画像処理装置を示すブロック図である。画像処理装置は、後述する画像処理方法を実行可能な、スチルカメラ、ビデオカメラなどの撮像装置として構成される。図１に示すように、画像処理装置は、入力部１０２、表示部（画像表示部）１０４、撮像部１０６、制御部１０８、圧縮伸張部１１０（伸張処理部）、画素数変換部１１２、表示用画像生成部１１４、記憶部１２０、各構成要素を接続するバス１１６を含んで構成される。
【００２４】
入力部１０２および表示部１０４は、例えば、タッチパネル機能を有する液晶表示装置として構成される。撮像部１０６は、ＣＣＤなどの撮像素子からなり、図示されていないレンズから受光した被写体光を画像信号に変換する。制御部１０８は、ＣＰＵ、制御回路、他の組み換え可能なハードウェアからなり、画像処理装置全体を制御する。制御部１０８は、合成用画像生成部および合成画像生成部として機能する。圧縮伸張部１１０は、後述する画像処理方法による処理の対象となる画像に例えばＪＰＥＧ形式などによる圧縮伸張処理を施し、画素数変換部１１２は、処理の対象となる画像に画素数（解像度）変換処理を施す。表示用画像生成部１１４は、後述する記憶部１２０の表示用画像領域Ａ１２１に格納されている、透過率成分２０４を含む合成用画像（選択的に編集用画像を合成されている。）を、表示用画像領域Ｂ１２２に格納されている撮影画像２０６に対して、透過率成分２０４に含まれる合成用画像の透過率情報に応じて透過合成し、表示用画像として表示部１０４に供給する。なお、圧縮伸張部１１０および／または画素数変換部１１２は、処理回路として構成されてもよく、ＣＰＵとして構成されてもよい。
【００２５】
記憶部１２０は、ＲＡＭ、ＲＯＭなどからなり、表示用画像領域Ａ１２１、表示用画像領域Ｂ１２２、編集用画像領域１２３、撮影画像用領域１２４、画像（色）成分用領域１２５、透過率成分用領域１２６、作業用領域１２７、合成画像用領域１２８を含んで構成される。なお、撮影画像用領域１２４、画像成分用領域１２５、透過率成分用領域１２６、および合成画像用領域１２８は、例えば、リムーバブルメモリ、ハードディスク装置など、画像処理装置に接続可能な外部の記憶装置または記録装置に設けられてもよい。
【００２６】
記憶部１２０は、透過率情報を含む表示用画像を表示用画像領域Ａ１２１に記憶し、表示用画像領域Ａ１２１に記憶されている表示用画像に合成されて表示される表示用画像を表示用画像領域Ｂ１２２に記憶し、後述する編集機能に際して用いられる画像を編集用画像領域（編集用画像記憶部）１２３に記憶している。
【００２７】
記憶部１２０は、画像処理の対象となる撮影画像２０６を撮影画像用領域（撮影画像記憶部）１２４に記憶し、撮影画像２０６に合成される合成用画像を構成する画像成分２０２および透過率成分２０４を、画像成分用領域（画像成分記憶部）１２５および透過率成分用領域（透過率成分記憶部）１２６に各々に記憶している。撮影画像２０６は、画像処理装置としての撮像装置自体により撮影された画像でもよく、他の撮像装置から入力された画像でもよい。画像成分２０２および透過率成分２０４からなる合成用画像は、画像処理装置に予め記憶されている画像、またはユーザにより追加的に登録／記憶される画像である。撮影画像２０６、合成用画像を構成する画像成分２０２および透過率成分２０４は、例えばＪＰＥＧ形式で非可逆圧縮されて記憶されている。なお、以下では、画像処理の対象となる画像がＪＰＥＧ形式で非可逆圧縮される場合について説明するが、例えばＪＰＥＧ２０００など、他の形式で非可逆圧縮されてもよい。
【００２８】
作業用領域１２７では、後述する画像処理方法の実行に際して、制御部１０８により、処理の内容に応じて格納領域が確保または解放される。合成画像用領域１２８は、撮影画像２０６に合成用画像を合成して生成された合成画像２０８をＪＰＥＧ形式で記憶している。
【００２９】
（単一の撮影画像に合成用画像を合成する場合）
図２は、単一の撮影画像に合成用画像を合成する場合に処理の対象となる画像の一例を示す説明図である。図２には、合成用画像を構成する画像成分２０２および透過率成分２０４、合成対象画像としての撮影画像２０６、および合成画像２０８が示されている。
【００３０】
画像処理装置では、画像成分２０２および透過率成分２０４から合成用画像が生成され、撮影画像２０６に合成されて表示され、合成画像２０８が生成される。画像成分２０２は、例えば３Ｍサイズ（２０４８×１５３８画素）などの画像として、透過率成分２０４は、例えばＶＧＡサイズ（６４０×４８０画素）など、画像成分２０２よりも少ない画素数の画像として、ＪＰＥＧ形式で記憶部１２０に記憶されている。撮影画像２０６は、任意のサイズの画像として記憶部１２０にＪＰＥＧ形式で記憶されている。
【００３１】
画像成分２０２は、Ｒ／Ｇ／Ｂ、Ｙ／Ｃｂ／Ｃｒなどの３チャンネルの濃度情報で構成され、濃度情報は、画素毎に３つの階調値からなる。画素毎の各階調値は、例えば８ビットで表され、この場合に画像成分２０２は、画素当り２４ビットで表される。
【００３２】
一方、透過率成分２０４は、１チャンネルの透過率情報で構成され、透過率情報は、画素毎に１つの階調値からなる。画素毎の各階調値は、例えば８ビットで表され、この場合に例えば階調値０を透明（図２中で白い部分の領域に相当する。）、階調値２５５を不透明（図２中で黒い部分の領域に相当する。）、階調値１〜２５４を段階的に透過率が変化する半透明として定義する。透過率成分は、１チャンネルの透過率情報、および２チャンネルの擬似情報からなる３チャンネルの情報として記憶される。なお、擬似情報は、画像処理に用いられない情報であり、画像情報を低減するためにエントロピーが０となるように設定されてもよい。
【００３３】
透過率成分２０４は、撮影画像２０６に画像成分２０２を重畳して画像を形成する際に、重畳される画像成分２０２の画素と撮影画像２０６の画素との間の重み付けを規定する。なお、撮影画像２０６は、重畳される画像成分２０２と同一の画素数を有してもよく、重畳される画像成分２０２と異なる画素数を有してもよい。また、撮影画像２０６に画像成分２０２を含む合成用画像を重畳する際には、合成用画像に対する撮影画像２０６の配置が決定される。
【００３４】
撮影画像２０６に画像成分２０２を重畳した場合に、透過率成分２０４が透明を表す画素では、撮影画像２０６の対応する画素が優先して表示され、透過率成分２０４が不透明を表す画素では、画像成分２０２の対応する画素が優先して表示される。また、透過率成分２０４が半透明を表す画素では、合成用画像の透過率情報に応じて、画像成分２０２および撮影画像２０６の対応する画素が重畳されて表示される。
【００３５】
Ｒ／Ｇ／Ｂ形式の画像成分２０２をＪＰＥＧ形式で非可逆圧縮する場合には、画像成分２０２に対して、Ｒ／Ｇ／Ｂ色空間からＹ／Ｃｂ／Ｃｒ色空間への色変換処理を施し、ブロック化、ＤＣＴ（離散コサイン変換）符号化、量子化、エントロピー符号化などの公知の処理を施すことで、画像成分２０２をＪＰＥＧ化する。つまり、画像成分２０２の非可逆圧縮では、Ｒ／Ｇ／Ｂの３チャンネルの情報がＹ／Ｃｂ／Ｃｒの３チャンネルの情報に変換される。同様に、透過率成分２０４をＪＰＥＧ形式で非可逆圧縮する場合には、１チャンネルの透過率情報をＹチャンネルの情報に割当て、２チャンネルの擬似情報をＣｂ、Ｃｒチャンネルの情報に割当てて変換処理を施した上で、他の処理を施すことで、透過率成分２０４をＪＰＥＧ化する。つまり、透過率成分２０４の非可逆圧縮では、２チャンネルの擬似情報と併せて１チャンネルの透過率情報がＹ／Ｃｂ／Ｃｒの３チャンネルの情報に変換される。
【００３６】
図３および図４は、合成用画像を構成する画像成分２０２および透過率成分２０４のデータ構成を例示する説明図である。
【００３７】
図３に示すデータ構成では、画像成分２０２は、ＪＦＩＦフォーマットからなる第１のファイル１５２内の圧縮データ領域に３チャンネル（Ｙ／Ｃｂ／Ｃｒ）のＪＰＥＧ形式で格納される。また、透過率成分２０４は、ＪＦＩＦフォーマットの第２のファイル内１５４の圧縮データ領域に、３チャンネル（１チャンネルの透過率情報および２チャンネルの擬似情報）のＪＰＥＧ形式で格納される。これにより、画像成分２０２および透過率成分２０４を２つのファイル１５２、１５４として構成することで、各ファイル１５２、１５４が完全な汎用フォーマットとなり、画像処理速度を向上させることができる。なお、透過率成分２０４は、画像成分２０２と同様に通常の３チャンネルのＪＰＥＧ圧縮データとして復号される。
【００３８】
図４に示すデータ構成では、画像成分２０２は、図３に示した場合と同様に、ＪＦＩＦフォーマットからなるファイル１５６内の圧縮データ領域に３チャンネルのＪＰＥＧ形式で格納される。また、透過率成分２０４は、画像成分２０２と同一のファイル１５６内に３チャンネルのＪＰＥＧ形式のデータ１５８として格納される。透過率成分２０４は、ＪＦＩＦフォーマットのファイル１５６に含まれるＡＰＰ１領域に対して、サムネイル画像の圧縮データを格納する場合と同様にして格納される。これにより、画像成分２０２および透過率成分２０４を１つのファイルとして構成することで、データの可搬性を向上させることができる。なお、透過率成分２０４は、ＡＰＰ１領域から切り出されることで、画像成分２０２と同様に通常の３チャンネルのＪＰＥＧ圧縮データとして復号される。
【００３９】
ここで、本実施形態に係る画像処理装置では、透過率成分２０４が画像成分２０２よりも少ない画素数の画像として、ＪＰＥＧ形式で非可逆圧縮されて記憶されている。非可逆圧縮では、色の変化および画像の高周波成分（濃度情報の急変部に相当する。）に対して人間の目が鈍感であるという性質を利用して、視認され難い画像情報を低減することで、高い圧縮率を実現することができる。
【００４０】
ところで、透過率成分２０４は、合成用画像の透過率を定義する画像情報であるので、画像成分２０２に比して視認され難い。一般に、高い圧縮率で非可逆圧縮された画像を伸張した場合には、画像の高周波成分でノイズが生じるので、画像成分２０２の画素数と同程度の画素数からなる透過率成分２０４を用いても、透過率が急変する部分の画像を適切に再現することができない。このため、透過率成分２０４の画素数を少なくしても、再現される急変部分の画像に対しては顕著な影響が及ばず、画素数を少なくしたことによるスケールメリットだけが残ることになる。また、画素数を少なくすると、透過率が急変する部分を表す画素の密度が小さくなり透過率が平均化されるので、隣接画素間における透過率の差が小さくなり、画像の高周波成分が削減される。よって、非可逆圧縮された透過率成分２０４を記憶するための記憶容量を大幅に低減することができる。
【００４１】
（画像処理装置による処理フロー）
図５は、画像処理装置による処理の流れを示すフロー図である。画像処理装置では、合成表示処理、および合成画像（逐次、一括）生成処理が行われる。合成表示処理（ステップＳ１０２）では、ユーザにより選択された１つの撮影画像２０６に対して、ユーザにより選択される合成用画像（画像成分２０２および透過率成分２０４）が合成されて表示され、合成用画像の選択（Ｓ１０４）に応じて合成されて表示される画像が切替えられる。合成画像（逐次）生成処理（Ｓ１０６）では、合成表示処理により表示されている画像に相当する１つの合成画像２０８が生成されて記憶される（Ｓ１０８）。合成画像（一括）生成処理（Ｓ１１０）では、ユーザにより選択された複数の撮影画像２０６に対して、合成表示処理により選択された１つの合成用画像が合成されて、同一の合成用画像が合成された複数の合成画像２０８が生成されて記憶される（Ｓ１１２）。
【００４２】
（合成表示処理）
図６は、合成表示処理時における操作画面を示す説明図である。表示部１０４の中央領域には、撮影画像２０６に合成用画像（画像成分２０２および透過率成分２０４）が合成されて画像２１０として表示されている。また、表示部１０４の側方領域には、操作ボタン「前」１７２、「次」１７４、「逐次合成」１７６、「一括合成」１７８が表示されている。
【００４３】
操作ボタン「前」１７２、「次」１７４は、合成用画像の選択に際して操作される。操作ボタン「逐次合成」１７６、「一括合成」１７８は、後述する合成画像生成処理の実行に際して操作される。操作ボタン「前」１７２、「次」１７４が表示されている領域がユーザの指３００などで触れられると、現在選択されている合成用画像と異なる合成用画像を構成する画像成分２０２および透過率成分２０４が画像成分用領域１２５および透過率成分用領域１２６から各々に読み出され、後述する処理を施され、現在選択されている合成用画像の代わりに撮影画像２０６に合成されて表示される。
【００４４】
図７は、合成表示処理における処理の流れを示すフロー図である。以下では、操作ボタン「前」１７２、「次」１７４の操作により合成用画像が選択されてから、合成された画像２１０が表示されるまでの処理を説明する。
【００４５】
撮影画像２０６について、まず、制御部１０８は、ＪＰＥＧ圧縮された撮影画像２０６（画像１）を撮影画像用領域１２４から読出す（Ｓ２０２）。次に、制御部１０８は、撮影画像２０６（画像１）をＹ／Ｃｂ／Ｃｒ画像に変換するために、圧縮伸張部１１０により伸張処理し、処理後の画像（画像２）を作業用領域１２７に格納する（Ｓ２０４）。そして、制御部１０８は、Ｙ／Ｃｂ／Ｃｒ画像（画像２）を表示部１０４に表示するために、合成用画像毎に定義されている合成用サイズに応じて画素数変換部１１２により画素数変換処理する（Ｓ２０６）。なお、図６は、合成用サイズが合成用画像よりも小さなサイズとして定義されている場合を示すが、合成用サイズは、合成用画像と同一のサイズ（例えば３Ｍサイズ）として定義されてもよい。制御部１０８は、図６に示した画像２１０のように、処理後の画像（画像３）に対して、必要に応じて回転処理を施してもよい。そして、制御部１０８は、合成用画像に対する撮影画像２０６の配置に応じて、処理後の画像（画像３）を表示用画像領域Ｂ１２２内の所定の領域に格納する（Ｓ２０８）。なお、制御部１０８は、作業用領域１２７に対して、処理Ｓ２０２では画像１の格納領域を確保した上で画像１を格納し、処理Ｓ２０４では画像１の格納領域を解放して画像２を格納し、処理Ｓ２０８の処理後に画像２の格納領域を解放する。
【００４６】
透過率成分２０４について、まず、制御部１０８は、ＶＧＡサイズのＪＰＥＧ圧縮された透過率成分２０４（画像４）を透過率成分用領域１２６から読出す（Ｓ２１０）。次に、制御部１０８は、透過率成分２０４（画像４）をＹ／Ｃｂ／Ｃｒ画像に変換するために、圧縮伸張部１１０により伸張処理し、処理後の画像（画像５）を作業用領域１２７に格納する（Ｓ２１２）。ここで、透過率成分２０４の変換に際しては、透過率成分２０４の透過率情報がＹチャンネルに代入されるが、２チャンネルの擬似情報は利用されない。そして、制御部１０８は、ＶＧＡサイズの透過率成分（画像５）を３Ｍサイズに変換するために、画素数変換部１１２により画素数変換処理し、処理後の画像（画像６）を作業用領域１２７に格納する（Ｓ２１４）。なお、制御部１０８は、作業用領域１２７に対して、処理Ｓ２１０では画像４の格納領域を確保した上で画像４を格納し、処理Ｓ２１２では画像４の格納領域を解放して画像５を格納し、処理Ｓ２１４では画像５の格納領域を解放して画像６を格納する。
【００４７】
画像成分２０２について、まず、制御部１０８は、３ＭサイズのＪＰＥＧ圧縮された画像成分２０２（画像７）を画像成分用領域１２５から読出す（Ｓ２１６）。次に、制御部１０８は、画像成分（画像７）をＹ／Ｃｂ／Ｃｒ画像に変換するために、圧縮伸張部１１０により伸張処理し、処理後の画像（画像８）を作業用領域１２７に格納する（Ｓ２１７）。なお、制御部１０８は、作業用領域１２７に対して、処理Ｓ２１６では画像７の格納領域を確保した上で画像７を格納し、処理Ｓ２１７では画像７の格納領域を解放して画像８を格納する。
【００４８】
処理後の画像成分２０２および透過率成分２０４について、まず、制御部１０８は、透過率成分２０４（画像６）および画像成分２０２（画像８）を組合せて合成用画像（画像９）を生成し、作業用領域１２７に格納する（Ｓ２２０）。ここで、合成用画像は、例えばＲＧＢα形式など、透過率情報を含む表示用画像として生成される。次に、制御部１０８は、合成用画像（画像９）を表示部１０４に表示するために、表示用サイズに応じて画素数変換部１１２により画素数変換処理し（Ｓ２２２）、処理後の画像（画像１０）を表示用画像領域Ａ１２１に格納する（Ｓ２２４）。なお、制御部１０８は、作業用領域１２７に対して、処理Ｓ２２０では画像６および画像８の格納領域を解放して画像９を格納し、処理Ｓ２２４の処理後に画像９の格納領域を解放する。そして、制御部１０８は、撮影画像２０６に合成用画像を合成して表示するために、表示用画像領域Ａ１２１に格納されている合成用画像（画像１０）、および表示用画像領域Ｂ１２２に格納されている撮影画像２０６（画像３）から表示用画像生成部１１４により表示用画像を生成し、表示部１０４に表示する（Ｓ２２６）。
【００４９】
これにより、拡大された透過率成分２０４を含む合成用画像および撮影画像２０６から表示用画像を効率的に生成して表示することができる。
【００５０】
なお、処理Ｓ２１４でＶＧＡサイズの透過率成分２０４（画像５）を、３Ｍサイズの代わりに表示用サイズに変換し、処理Ｓ２１８で処理後の画像（画像８）を表示用サイズに変換してもよい。これにより、合成用画像（画像９）を表示用サイズに変換するための処理Ｓ２２２を省略することができる。
【００５１】
また、例えば１Ｍサイズ（１０２４×７６９画素）など３Ｍサイズよりも小さなサイズ（画素数が少ない）の画像として、画像成分２０２を画像成分用領域１２５に記憶してもよい。この場合、処理Ｓ２１６で画像成分（画像７’）を画像成分用領域１２５から読出し、処理Ｓ２１７でＹ／Ｃｂ／Ｃｒ画像（画像８）に伸張処理し、処理Ｓ２１４と同様に３Ｍサイズに画素数変換処理し、処理後の画像（画像８’）として作業用領域に格納にする。そして、処理Ｓ２２０では、透過率成分２０４（画像６）および画像成分２０２（画像８’）を組合せて合成用画像（画像９）を生成する。これにより、画像成分の精細度が低下するが、画像成分用領域１２５に確保すべき記憶容量を抑制することができる。
【００５２】
（合成画像生成処理）
図８は、合成画像生成処理時における操作画面を示す説明図である。なお、操作画面の説明については、図６の場合と同様であるので省略する。ここで、操作ボタン「逐次合成」１７６、「一括合成」１７８が操作されると、後述する合成画像（逐次）生成処理、合成画像（一括）生成処理が各々に実行される。
【００５３】
図９は、合成画像生成処理における処理の流れを示すフロー図である。以下では、合成表示処理された画像２１０が表示されている状態で操作ボタン「逐次合成」１７６が操作されてから、表示されている画像に相当する合成画像２０８が生成されるまでの合成画像（逐次）生成処理について説明した上で、合成画像（一括）合成処理について説明する。
【００５４】
合成画像（逐次）生成処理では、撮影画像２０６、合成用画像を構成する透過率成分２０４および画像成分２０２の各々について、制御部１０８は、図７に示した合成表示処理の処理Ｓ２０２〜Ｓ２０６、処理Ｓ２１０〜Ｓ２１４、処理Ｓ２１６〜Ｓ２１８と同様に、処理Ｓ２３２〜Ｓ２３６、処理Ｓ２３８〜Ｓ２４２、処理Ｓ２４４〜Ｓ２４６を行う。なお、撮影画像２０６について、制御部１０８は、処理Ｓ２０６に相当する処理Ｓ２３６では、合成用画像毎に定義されている合成用サイズに応じて画素数変換された画像（画像３に相当する画像３’）を作業用領域１２７に格納する。
【００５５】
処理後の撮影画像２０６、画像成分２０２および透過率成分２０４について、まず、制御部１０８は、透過率成分２０４（画像６）に含まれる合成用画像の透過率情報に基づいて、撮影画像２０６（画像３’）および画像成分２０２（画像８）を組合せて合成画像２０８（画像１１）を生成し、作業用領域１２７に格納する（Ｓ２４８）。ここで、撮影画像２０６は、合成用画像に対する撮影画像２０６の配置に応じて、画像成分２０２と合成される。また、合成画像２０８は、例えばＹ／Ｃｂ／Ｃｒ形式など、ＪＰＥＧ形式で圧縮される画像として生成される。合成画像２０８の生成に際しては、透過率成分２０４に含まれる合成用画像の透過率情報に従い、Ｙ／Ｃｂ／Ｃｒ形式の画像成分２０２およびＹ／Ｃｂ／Ｃｒ形式の撮影画像２０６が透過合成される。次に、制御部１０８は、合成画像２０８を記憶するために、圧縮伸張部１１０によりＪＰＥＧ圧縮処理し、処理後の画像（画像１２）を合成画像用領域１２８に格納する（Ｓ２５０）。なお、制御部１０８は、作業用領域１２７に対して、処理Ｓ２４８では画像３’、６、８の格納領域を解放して画像１１を格納し、処理Ｓ２５０の処理後に画像１１の格納領域を解放する。
【００５６】
これにより、合成画像（逐次）生成処理では、合成表示処理された画像２１０に相当する合成画像２０８が生成されて記憶される。よって、拡大された透過率成分２０４を含む合成用画像および撮影画像２０６から合成画像２０８を効率的に生成して記憶することができる。
【００５７】
なお、３Ｍサイズの合成画像２０８を生成する場合には、処理Ｓ２３６で処理後の撮影画像２０６（画像２）を３Ｍサイズの代わりに３Ｍサイズよりも小さなサイズ（画素数が少ない）の画像に変換し、３Ｍサイズの画像と変換後の画像との差分領域にダミー画素を付加してもよい。これにより、３Ｍサイズの画像の一部に撮影画像２０６が埋め込まれた合成画像２０８が作成可能となり、合成画像２０８のデザイン性を高めることができる。
【００５８】
また、処理Ｓ２４２で透過率成分２０４（画像５）を３Ｍサイズの変わりに３Ｍサイズよりも小さなサイズ（画素数が少ない）の画像に変換し、３Ｍサイズの画像と変換後の画像との差分領域に透明または不透明の画素を付加してもよい。これにより、３Ｍサイズの画像の一部に透過率成分２０４が埋め込まれた合成画像２０８が作成可能となり、透過率成分用領域１２６に確保すべき記憶容量を抑制することができる。
【００５９】
また、例えば１Ｍサイズ（１０２４×７６９画素）など３Ｍサイズよりも小さなサイズ（画素数が少ない）の画像として、画像成分２０２を画像成分用領域１２５に記憶してもよい。この場合、処理Ｓ２４４で画像成分（画像７’）を画像成分用領域１２５から読出し、処理Ｓ２４６でＹ／Ｃｂ／Ｃｒ画像（画像８）に伸張処理し、処理Ｓ２４２と同様に３Ｍサイズに画素数変換処理し、処理後の画像（画像８’）として作業用領域に格納にする。そして、処理Ｓ２４８では、透過率成分２０４（画像６）に含まれる合成用画像の透過率情報に基づいて、撮影画像２０６（画像３’）および画像成分２０２（画像８’）を組合せて合成画像２０８（画像１１）を生成する。これにより、画像成分の精細度が低下するが、画像成分用領域１２５に確保すべき記憶容量を抑制することができる。
【００６０】
一方、合成画像（一括）生成処理では、ユーザにより選択された複数の撮影画像２０６に対して、ユーザにより選択された１つの合成用画像が合成されて、同一の合成用画像が合成された複数の合成画像２０８が生成されて記憶される。よって、拡大された透過率成分２０４を含む合成用画像および複数の撮影画像２０６から、同一の合成用画像を合成された複数の合成画像２０８を効率的に生成して記憶することができる。
【００６１】
制御部１０８は、選択された複数の撮影画像２０６について、処理Ｓ２３２〜Ｓ２５０を撮影画像２０６毎に行う。あるいは、制御部１０８は、選択された合成用画像に対して処理Ｓ２３８〜Ｓ２４６を行い、処理後の透過率成分２０４（画像６）および画像成分２０２（画像８）を組合せて合成用画像を予め生成して作業用領域１２７などに格納してもよい。この場合、制御部１０８は、選択された複数の撮影画像２０６について、撮影画像２０６毎に、処理Ｓ２３２〜Ｓ２３６を行い、処理Ｓ２４８において、画像成分２０２、透過率成分２０４、および撮影画像２０６から合成画像２０８を生成する代わりに、予め格納されている合成用画像、および撮影画像２０６から合成画像２０８を生成することができる。これにより、処理Ｓ２４８において、撮影画像２０６毎に３つの画像から合成画像２０８を生成する場合に比して、画像処理速度を向上させることができる。
【００６２】
（複数の撮影画像に合成用画像を合成する場合）
図１０は、複数の撮影画像に合成用画像を合成する場合に処理の対象となる画像の一例を示す説明図である。図１０には、合成用画像を構成する画像成分２１２および透過率成分Ａ２１４、Ｂ２１５、合成対象画像としての撮影画像Ａ２１６、Ｂ２１７、合成画像２１８が示されている。図１０には、図２に示した撮影画像２０６と同一の撮影画像Ａ２１６と併せて撮影画像Ｂ２１７が合成用画像に合成されて合成画像２１８を生成する場合が示されている。なお、各画像の詳細に関する説明については、図２に示した画像と同様であるので省略する。以下では、図２および図１０を参照しながら、合成用画像を用いる場合の処理について説明する。
【００６３】
図１１は、合成用画像を構成する画像成分２１２および透過率成分Ａ２１４、Ｂ２１５からなる合成用画像のデータ構成を例示する説明図である。図１１に示すデータ構成では、図４に示した場合と同様に、２つの透過率成分Ａ２１４、Ｂ２１５がＡＰＰ１領域にデータ１６４、１６６として各々に格納される。これにより、画像成分２１２および２つの透過率成分Ａ２１４、Ｂ２１５を１つのファイル１６２として構成することで、データの可搬性を向上させることができる。なお、２つの透過率成分Ａ２１４、Ｂ２１５は、ＡＰＰ１領域から各々に切り出されることで、画像成分２１２と同様に通常の３チャンネルのＪＰＥＧ圧縮データとして復号される。
【００６４】
図１２は、複数の撮影画像に合成用画像を合成する場合の処理時における操作画面を示す説明図である。表示部１０４の中央領域には、撮影画像Ａ２１６に合成用画像が合成された画像２２０が表示されている。また、表示部１０４の側方領域には、操作ボタン「前」１７２、「次」１７４、「逐次合成」１７６、「一括合成」１７８、「２枚配置」１８４が表示されている。
【００６５】
図１２に示す画像２２０は、画像成分２１２および透過率成分Ａ２１４からなる合成用画像、および撮影画像Ａ２１６に対して、図７に示した合成表示処理と同様の処理を施すことで得られる。つまり、制御部１０８は、処理Ｓ２０２〜Ｓ２０８と同様に、図１０に示した撮影画像Ａ２１６を処理し、表示用画像領域Ｂ１２２に格納する。また、制御部１０８は、処理Ｓ２１０〜Ｓ２２２と同様に、画像成分２１２および透過率成分Ａ２１４を処理し、合成用画像を表示用画像領域Ａ１２１に格納する。そして、制御部１０８は、処理Ｓ２２６と同様に、表示用画像領域Ａ１２１、Ｂ１２２に格納されている撮影画像Ａ２１６および合成用画像を合成して表示する。ここで、操作ボタン「２枚配置」１８４が操作されると、後述する図１３に示す状態に遷移する。
【００６６】
また、操作ボタン「逐次合成」１７６または「一括合成」１７８が操作されると、画像成分２１２および透過率成分Ａ２１４からなる合成用画像、および撮影画像Ａ２１６に対して、図９に示した合成画像生成処理と同様の処理が行われる。つまり、制御部１０８は、処理Ｓ２３２〜Ｓ２３６と同様に、撮影画像Ａ２１６を処理する。また、制御部１０８は、処理Ｓ２３８〜Ｓ２４６と同様に、画像成分２１２および透過率成分Ａ２１４を処理する。そして、制御部１０８は、処理Ｓ２４８〜Ｓ２５０と同様に、透過率成分Ａ２１４に含まれる合成用画像の透過率情報に基づいて、画像成分２１２および２枚の撮影画像Ａ２１６、Ｂ２１７を組合せて合成画像を生成し、ＪＰＥＧ圧縮して記憶する。
【００６７】
図１３は、合成用画像の処理時における操作画面を示す説明図である。表示部１０４の中央領域には、２枚の撮影画像Ａ２１６、Ｂ２１７に合成用画像が合成された画像２２２が表示されている。また、表示部１０４の側方領域には、操作ボタン「前」１７２、「次」１７４、「逐次合成」１７６、「一括合成」１７８、「１枚配置」１８２が表示されている。
【００６８】
図１３に示す画像２２２は、画像成分２１２および透過率成分Ｂ２１５からなる合成用画像、および撮影画像Ａ２１６、Ｂ２１７に対して、図１２を用いて説明した合成表示処理と同様の処理を施すことで得られる。つまり、図１２を用いて説明した合成表示処理との対比において、制御部１０８は、撮影画像Ａ２１６に対する処理と同様の処理を撮影画像Ａ２１６、Ｂ２１７に対して行い、透過率成分Ａ２１４に対する処理と同様の処理を透過率成分Ａ２１４、Ｂ２１５に対して行う。
【００６９】
また、操作ボタン「逐次合成」１７６または「一括合成」１７８が操作されると、画像成分２１２および透過率成分Ａ２１４、Ｂ２１５からなる合成用画像、および撮影画像Ａ２１６、Ｂ２１７に対して、図１２を用いて説明した合成画像生成処理と同様の処理が行われる。つまり、図１２を用いて説明した合成画像生成処理との対比において、制御部１０８は、撮影画像Ａ２１６に対する処理と同様の処理を撮影画像Ａ２１６、Ｂ２１７に対して行い、透過率成分Ａ２１４に対する処理と同様の処理を透過率成分Ａ２１４、Ｂ２１５に対して行う。なお、操作ボタン「１枚配置」１８２が操作されると、図１２に示した状態に遷移する。
【００７０】
（編集画像処理）
図１４は、編集画像処理時における操作画面を示す説明図である。表示部１０４の中央領域には、図２に示した撮影画像２０６に合成用画像および編集用画像が合成された画像２３０が表示されている。図１４には、図２に示した撮影画像２０６が合成用画像としてのフレーム画像および編集用画像に合成され、画像２３０として表示されている。また、表示部１０４の側方領域には、操作ボタン「合成」１９０、「描画（鉛筆のマーク）」１９２、「消去（消しゴムのマーク）」１９４、「シンボル挿入（星のマーク）」１９６および合成用画像の一覧１９８が表示されている。
【００７１】
操作ボタン「合成」１９０は、画像２３０をＪＰＥＧ圧縮して記憶する場合に操作される。操作ボタン「描画」１９２は、編集用画像を描画する場合に操作され、ボタン操作後に中央領域が触れられると、編集用画像として任意の画像（例えば、図１４では「ニコニコ」という文字画像）が描画される。操作ボタン「消去」１９４は、描画された編集用画像を消去する場合に操作され、ボタン操作後に中央領域が指３００で触れられると、編集用画像として描画された画像が消去される。操作ボタン「シンボル挿入」１９６は、編集用画像にシンボルを挿入する場合に操作され、ユーザにより選択されたシンボルが中央領域上の任意の位置に編集用画像の一部として挿入される。また、合成用画像の一覧としては、撮影画像２０６を装飾するための複数のフレーム画像として、ユーザにより選択される合成用画像が表示されている。
【００７２】
図１４に示す状態において、編集用画像を合成された合成用画像および撮影画像２０６に対して、図７に示した合成表示処理と同様の処理が行われる。つまり、制御部１０８は、処理Ｓ２０２〜Ｓ２０８と同様に、撮影画像２０６を処理し、表示用画像領域Ｂ１２２に格納する。また、制御部１０８は、処理Ｓ２１０〜Ｓ２１８と同様に、合成用画像の一覧１９８から選択されたフレーム画像を構成する画像成分および透過率成分を処理し、合成用画像を生成し、作業用領域１２７に格納する。また、制御部１０８は、操作ボタン「描画」１９２、「消去」１９４、「シンボル挿入」１９６の操作を通じて作成された３Ｍサイズの編集用画像を編集用画像領域１２３に格納する。次に、制御部１０８は、編集用画像を合成用画像に合成する。そして、制御部１０８は、処理Ｓ２２０〜Ｓ２２２と同様に、合成した画像を表示用サイズに応じて画素数変換処理し、表示用画像領域Ａ１２１に格納する。最後に、制御部１０８は、処理Ｓ２２６と同様に、表示用画像領域Ａ１２１に格納されている、編集用画像を合成された合成用画像、および表示用画像領域Ｂ１２２に格納されている撮影画像２０６を合成して表示する。なお、制御部１０８は、編集用画像が更新されるたびに、更新後の編集用画像を編集用画像領域１２３に格納し、合成用画像と合成し、処理Ｓ２２０〜Ｓ２２６と同様の処理を行う。
【００７３】
これにより、拡大された透過率成分を含む合成用画像、撮影画像２０６、および編集用画像から表示用画像を効率的に生成して表示することができる。
【００７４】
また、図１４に示す状態において、操作ボタン「合成」１９０が操作されると、編集用画像を合成された合成用画像および撮影画像２０６に対して、図９に示した合成画像生成処理と同様の処理が行われる。つまり、制御部１０８は、処理Ｓ２３２〜Ｓ２３６と同様に、撮影画像２０６を処理する。また、制御部１０８は、処理Ｓ２３８〜Ｓ２４６と同様に、フレーム画像を構成する画像成分および透過率成分を処理する。そして、制御部１０８は、処理Ｓ２４８〜Ｓ２５０と同様に、透過率成分に含まれる合成用画像の透過率情報に基づいて、画像成分、編集用画像、および撮影画像２０６を組合せて合成画像を生成し、ＪＰＥＧ圧縮して記憶する。
【００７５】
これにより、拡大された透過率成分を含む合成用画像、撮影画像２０６、および編集用画像から合成画像を効率的に生成して記憶することができる。
【００７６】
以上説明した本実施形態に係る画像処理装置によれば、画像成分より少ない画素数からなるＪＰＥＧ形式の透過率成分が伸張されて拡大される。そして、拡大された画像成分および透過率成分から構成される合成用画像が撮影画像に合成される。一般に、高い圧縮率で圧縮されたＪＰＥＧ形式の画像を伸張した場合には、画像の高周波成分でノイズが生じるので、透過率が急変する部分の画像を適切に再現することができない。このため、透過率成分の画素数を少なくしても、再現される急変部分の画像に対しては顕著な影響が及ばず、画素数を少なくしたことによるスケールメリットだけが残ることになる。よって、本実施形態に係る画像処理装置によれば、非可逆圧縮された透過率成分を記憶するための記憶容量を大幅に低減することができる。
【００７７】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００７８】
【図１】本発明の一実施形態に係る画像処理装置を示すブロック図である。
【図２】単一の撮影画像に合成用画像を合成する場合に処理の対象となる画像の一例を示す説明図である。
【図３】合成用画像を構成する画像成分および透過率成分のデータ構成の一例を示す説明図である。
【図４】合成用画像を構成する画像成分および透過率成分のデータ構成の他の例を示す説明図である。
【図５】画像処理装置による処理の流れを示すフロー図である。
【図６】合成表示処理時における操作画面を示す説明図である。
【図７】合成表示処理における処理の流れを示すフロー図である。
【図８】合成画像生成処理時における操作画面を示す説明図である。
【図９】合成画像生成処理における処理の流れを示すフロー図である。
【図１０】複数の撮影画像に合成用画像を合成する場合に処理の対象となる画像の一例を示す説明図である。
【図１１】合成用画像を構成する画像成分および透過率成分のデータ構成の一例を示す説明図である。
【図１２】複数の撮影画像に合成用画像を合成する場合の処理時における操作画面を示す説明図である。
【図１３】複数の撮影画像に合成用画像を合成する場合の処理時における操作画面を示す説明図である。
【図１４】編集画像処理時における操作画面を示す説明図である。
【符号の説明】
【００７９】
１０２    入力部
１０４    表示部
１０６    撮像部
１０８    制御部
１１０    圧縮伸張部
１１２    画素数変換部
１１４    表示用画像生成部
１１６    バス
１２０    記憶部
２０２、２１２    画像成分
２０４、２１４、２１５    透過率成分
２０６、２１６、２１７    撮影画像
２０８、２１８    合成画像
【図１】
0005012668.tif 000002
【図２】
0005012668.tif 000003
【図３】
0005012668.tif 000004
【図４】
0005012668.tif 000005
【図５】
0005012668.tif 000006
【図６】
0005012668.tif 000007
【図７】
0005012668.tif 000008
【図８】
0005012668.tif 000009
【図９】
0005012668.tif 000010
【図１０】
0005012668.tif 000011
【図１１】
0005012668.tif 000012
【図１２】
0005012668.tif 000013
【図１３】
0005012668.tif 000014
【図１４】
0005012668.tif 000015